(57)【要約】      （修正有）【課題】各種の大きさの書類や定型の書類をそのまま収納しても、少しも乱れないようにして収納することができ、さらにその書類をケース内から取り出さないで、ケース内で捲り返しながら見ることもできるようにした書類収納ケースを提供する。【解決手段】定型サイズの書類より一回り大きく形成した浅底の互いに重なり合うようにした収納体１、１を、内部に収納空間を有するようにして、重ね合わせると共に見開き自在に構成し、前記収納体１、１の基端部１ａ、１ａの一方に、操作孔４を設け、収納体１、１の重ね合わせ時に、この操作孔４の周囲によって操作されるようにした綴じ部材５を、前記収納体１、１の基端部１ａ、１ａの間に設けた。【選択図】図３
0003150897.tif 000002
【実用新案登録請求の範囲】
【請求項１】
定型サイズの書類（Ｌ）より一回り大きく形成した浅底の互いに重なり合うようにした収納体（１、１）を、内部に収納空間を有するようにして、重ね合わせると共に見開き自在に構成し、前記収納体（１、１）の基端部（１ａ、１ａ）の一方に、操作孔（４）を設け、収納体（１、１）の重ね合わせ時に、この操作孔（４）の周囲によって操作されるようにした綴じ部材（５）を、前記収納体（１、１）の基端部（１ａ、１ａ）の間に設けたことを特徴とする書類収納ケース。
【請求項２】
前記収納体（１、１）を、基端部（１ａ、１ａ）どうしをヒンジ（２）により連結したものとし、開放端部（１ｂ、１ｂ）どうしを係合部材（３）により係脱自在に係合したものとしたことを特徴とする請求項１記載の書類収納ケース。
【請求項３】
前記係合部材（３）を、断面略コ字状の枠体の下面部（３ａ）の両端に、収納体（１、１）の開放端部（１ｂ、１ｂ）にそれぞれ設けた凹部（６、６）の一方の両端に設けられた小孔（６ａ）に軸支されるようにしたピン（７）を設け、前記枠体の上面部（３ｂ）が前記凹部（６、６）の他方に係合して止まるようにしたことを特徴とする請求項２記載の書類収納ケース。
ている。
【請求項４】
前記綴じ部材（５）を、前記操作孔（４）より一回り大きく形成した押え板（８）を、この操作孔（４）を設けていない方の収納体（１）の一側部にヒンジ（９）により連結し、この押え板（８）に設けた雌雄体（１０ａ）の一方と、もう一方の収納体（１）に設けた雌雄体（１０ａ）の他方とが合わさって綴じ体（１０）を形成するようにしたことを特徴とする請求項１〜３のいずかに記載の書類収納ケース。
【請求項５】
前記書類（Ｌ）を、前記綴じ部材（５）によって綴じられる綴じ孔（１２）を設けたファイル用袋体（Ｂ）に収納されるものとしたことを特徴とする請求項１〜４のいずかに記載の書類収納ケース。
【請求項６】
前記書類（Ｌ）の一側端部に、前記綴じ部材（５）によって綴じられる綴じ孔（１３）を設けたものとしたことを特徴とする請求項１〜４のいずかに記載の書類収納ケース。
【考案の詳細な説明】
【技術分野】
【０００１】
この考案は、各種の大きさの書類や定型の書類を収納できるようにした書類収納ケースに関するものである。
【背景技術】
【０００２】
従来、この種の書類収納ケースは、例えば、図１１、１２に示したようなものが存在する。この書類収納ケースは、同一形状として形成すると共に、定型サイズの書類より一回り大きく形成した浅底の両収納体２１、２１を重ね合わせると共に、見開き自在に構成している。
【０００３】
そして、前記両収納体２１、２１は、見開き自在にするため、一側部どうしをヒンジ２２によりそれぞれ連結したものとしている。また、前記両収納体２１、２１は、他側部どうしを係合体２３により係脱自在に係合したものとしている。
【０００４】
このように構成した従来の書類収納ケースは、収納体２１、２１を同一形状としているため、成形型が共通となり、製造コストが安くなるとしている（特許文献１）。
【先行技術文献】
【特許文献】
【０００５】
【特許文献１】特開平１１−１２９６６４号公報
【考案の概要】
【考案が解決しようとする課題】
【０００６】
しかしながら、上記従来の書類収納ケースでは、定型サイズの書類より一回り大きく形成した浅底の両収納体２１、２１としているものの、各種の大きさの書類や定型の書類をそのまま収納するようにしているため、複数枚の書類を重ね合わせて収納すると、その収納した書類がケース内で少しは乱れてしまう。
【０００７】
少しぐらいの乱れによっては、何の影響もない書類もあるが、書類によっては少しの乱れでも、影響のある書類もある。例えば、会議や打ち合わせ用などの書類で、そのままケースから取り出して直ぐに使用するようなときには、もう一度、その複数枚の書類をきちんと揃え直さなければならず、非常に面倒であるという問題点を有していた。
【０００８】
さらに、その複数枚の書類をケース内から取り出さないで、ケース内で捲り返しながら見たい場合もあるが、上記従来の書類収納ケースではこのようなことはできないという問題点を有していた。
【０００９】
そこで、この考案は、上記従来の問題点を解決することをその課題としており、各種の大きさの書類や定型の書類を収納しても、少しも乱れないようにして収納することができ、さらにその書類をケース内から取り出さないで、ケース内で捲り返しながら見ることもできるようにした書類収納ケースを提供することを目的としてなされたものである。
【課題を解決するための手段】
【００１０】
そのため、この考案の書類収納ケースは、定型サイズの書類Ｌより一回り大きく形成した浅底の互いに重なり合うようにした収納体１、１を、内部に収納空間を有するようにして、重ね合わせると共に見開き自在に構成し、前記収納体１、１の基端部１ａ、１ａの一方に、操作孔４を設け、収納体１、１の重ね合わせ時に、この操作孔４の周囲によって操作されるようにした綴じ部材５を、前記収納体１、１の基端部１ａ、１ａの間に設けたものとしている。
【００１１】
そして、この考案の書類収納ケースでは、前記収納体１、１は、基端部１ａ、１ａどうしをヒンジ２により連結したものとし、開放端部１ｂ、１ｂどうしを係合部材３により係脱自在に係合したものとしている。
【００１２】
さらに、この考案の書類収納ケースでは、前記係合部材３は、断面略コ字状の枠体の下面部３ａの両端に、収納体１、１の開放端部１ｂ、１ｂにそれぞれ設けた凹部６、６の一方の両端に設けられた小孔６ａに軸支されるようにしたピン７を設け、前記枠体の上面部３ｂが前記凹部６、６の他方に係合して止まるようにしている。
【００１３】
また、この考案の書類収納ケースでは、前記綴じ部材５は、前記操作孔４より一回り大きく形成した押え板８を、この操作孔４を設けていない方の収納体１の一側部にヒンジ９により連結し、この押え板８に設けた雌雄体１０ａの一方と、もう一方の収納体１に設けた雌雄体１０ａの他方とが合わさって綴じ体１０を形成するようにしている。
【００１４】
さらに、この考案の書類収納ケースでは、前記書類Ｌは、前記綴じ部材５によって綴じられる綴じ孔１２を設けたファイル用袋体Ｂに収納されるものとしている。
【００１５】
また、この考案の書類収納ケースでは、前記書類Ｌの一側端部に、前記綴じ部材５によって綴じられる綴じ孔１３を設けたものとしている。
【考案の効果】
【００１６】
この考案の書類収納ケースは、以上に述べたように構成されているので、各種の大きさの書類や定型の書類を収納しても、少しも乱れないようにして収納することができ、さらにその書類をケース内から取り出さないで、ケース内で捲り返しながら見ることもできるようになり、非常に優れた商品価値を有するものとなった。
【図面の簡単な説明】
【００１７】
【図１】この考案の書類収納ケースの閉じた状態を示す斜視図である。
【図２】この考案の書類収納ケースの開いた状態を示す斜視図である。
【図３】この考案の書類収納ケースから係合部材および綴じ部材を取り外した状態の斜視図である。
【図４】この考案の書類収納ケースの係合部材の外面側から見た斜視図である。
【図５】この考案の書類収納ケースの係合部材の内面側から見た斜視図である。
【図６】この考案の書類収納ケースの綴じ部材の内面側から見た斜視図である。
【図７】この考案の書類収納ケースの綴じ部材の外面側から見た斜視図である。
【図８】この考案の書類収納ケースに袋体入り書類を収納した状態を示す斜視図である。
【図９】この考案の書類収納ケースに袋体入り書類を収納して、この袋体を綴じた状態を示す斜視図である。
【図１０】この考案の書類収納ケースに収納する書類の一例を示す斜視図である。
【図１１】従来の書類収納ケースの閉じた状態を示す斜視図である。
【図１２】従来の書類収納ケースの開いた状態を示す斜視図である。
【考案を実施するための形態】
【００１８】
以下、この考案の書類収納ケースの実施の形態を、図面に基づいて詳細に説明する。
【００１９】
この考案の書類収納ケースは、定型サイズの書類Ｌより一回り大きく形成した浅底の互いに重なり合うようにした収納体１、１を、内部に収納空間を有するようにして、重ね合わせると共に見開き自在に構成している。ここで、定型サイズの書類Ｌとは、Ｂ５版、Ａ４版等のＪＩＳ規格により加工仕上げ寸法が決められた大きさの書類をいう。
【００２０】
前記収納体１、１は、それぞれ合成樹脂成形体として形成され、透明として内部が見えるものとしても、不透明として内部が見えないものとしてもよい。そして、前記収納体１、１は、見開き自在にするため、基端部１ａ、１ａどうしをヒンジ２により連結したものとしている。また、前記収納体１、１は、開放端部１ｂ、１ｂどうしを係合部材３により係脱自在に係合したものとしている。
【００２１】
さらに、前記収納体１、１の基端部１ａ、１ａの一方には、操作孔４を設け、収納体１、１の重ね合わせ時に、この操作孔４の周囲によって操作されるようにした綴じ部材５を、前記収納体１、１の基端部１ａ、１ａの間に設けたものとしている。
【００２２】
前記係合部材３は、合成樹脂製とした断面略コ字状の枠体の下面部３ａの両端に、収納体１、１の開放端部１ｂ、１ｂにそれぞれ設けた凹部６、６の一方の両端に設けられた小孔６ａに軸支されるようにしたピン７を設け、前記枠体の上面部３ｂが前記凹部６、６の他方に係合して止まるようにしている。
【００２３】
前記綴じ部材５は、前記操作孔４より一回り大きく形成した合成樹脂製の押え板８を、この操作孔４を設けていない方の収納体１の一側部にヒンジ９により連結し、この押え板８に設けた雌雄体１０ａの一方と、もう一方の収納体１に設けた雌雄体１０ａの他方とが合わさって綴じ体１０を形成するようにしている。なお、前記綴じ体部材５は、収納体１、１の何れかと一体として設けたものとしても、これらとは別体として設けたものとしてもよい。図示したものでは、前記綴じ部材５は、収納体１、１とは別体としており、前記押え板８にヒンジ９を介して連結した取付板１１の係止爪１１ａを、前記操作孔４を設けていない方の収納体１の一側部寄りに設けた係止孔１１ｂに係止させることにより、前記収納体１に設けたものとしている。
【００２４】
さらに、この考案の書類収納ケースでは、前記書類Ｌは、前記綴じ部材５によって綴じられる綴じ孔１２を設けたファイル用袋体Ｂに収納されるものとしている。このファイル用袋体Ｂは、ビニールなどの透明合成樹脂シート等により、上部を開口したものとして形成されおり、一枚の書類または複数枚の書類が収納できるものとしている。そして、このファイル用袋体Ｂの一側端部には、前記綴じ孔１２が設けられており、綴じ部材５の綴じ体１０が差し込まれるようにしている。
【００２５】
また、この考案の書類収納ケースでは、前記書類Ｌは、その一側端部に、前記綴じ部材５によって綴じられる綴じ孔１３を直に設けたものとしてもよい。そして、この綴じ孔１３にも、綴じ部材５の綴じ体１０が差し込まれるようにしている。
【００２６】
なお、前記書類Ｌは、綴じ孔１２を設けたファイル用袋体Ｂに収納されたり、その一側端部に直に綴じ孔１３を設けたものとしているが、綴じ部材５が前記したような形式ではなく、挟込み形式などである場合には、これらの綴じ孔１２、１３を設けないものとしてもよい。
【００２７】
この考案の書類収納ケースは、以上に述べたように構成されているため、ケース内に書類を収納する場合には、次のようにして行う。
【００２８】
先ず、図２に示したように、収納体１、１を開いた状態にすると共に綴じ部材５を解いた状態にする。そして、図８に示したように、これら収納体１、１のうち、前記操作孔４を設けていない方の収納体１内に、この収納体１の雌雄体１０ａに、書類Ｌを収納したファイル用袋体Ｂの綴じ孔１２、または書類Ｌの綴じ孔１３が入り込むようにして、これらファイル用袋体Ｂまたは書類Ｌを収納する。
【００２９】
次に、図１に示したように、操作孔４を設けていない方の収納体１に操作孔４を設けた方の収納体１を重ね合わせる。すると、綴じ部材５の押え板８が前記操作孔４の周囲によって操作され、雌雄体１０ａ、１０ａどうしが合わさって、綴じ体１０に前記ファイル用袋体Ｂまたは書類Ｌが綴じられることになる。
【００３０】
そこで、図９に示したように、再び収納体１、１を開いた状態にする。すると、この場合は、前記押え板８から前記操作孔４が離れていくだけなので、この押え板８は操作孔４の周囲によっては操作されず、綴じ体１０に前記ファイル用袋体Ｂまたは書類Ｌが綴じられたままになっている。
【００３１】
前記綴じ体１０に綴じられたままの書類Ｌは、その綴じられたまま捲り返すことにより、収納体１、１内に収納したまま見ることができる。
【００３２】
また、前記綴じ体１０に綴じられた書類Ｌを、収納体１、１内から取り出すには、押え板８を手指で持ち上げれば、雌雄体１０ａ、１０ａどうしが互いに離れ、再び図８に示したような状態となる。この状態で、書類Ｌを手指で持ち上げれば、綴じ体１０から外すことができ、その書類Ｌは収納体１、１内から取り出すことができる。
【００３３】
したがって、この考案の書類収納ケースでは、各種の大きさの書類や定型の書類をそのまま収納しても、これらの書類は綴じ部材により綴じられたままになっているので、少しも乱れないようにして収納することができ、さらにその書類をケース内から取り出さないで、ケース内で捲り返しながら見ることができるものとなった。
【００３４】
なお、この考案の書類収納ケースにおいても、その収納した書類がケース内で少しぐらい乱れてもよい場合には、綴じ部材により綴じることなく、そのままケース内に収納すればよいのはいうまでもない。
【符号の説明】
【００３５】
１  収納体
１ａ  基端部
１ｂ  開放端部
２  ヒンジ
３  係合部材
３ａ  下面部
３ｂ  上面部
４  操作孔
５  綴じ部材
６  凹部
６ａ  小孔
７  ピン
８  押え板
９  ヒンジ
１０  綴じ体
１０ａ  雌雄体
１２  綴じ孔
１３  綴じ孔
Ｂ  ファイル用袋体
Ｌ  書類
【図１】
0003150897.tif 000003
【図２】
0003150897.tif 000004
【図３】
0003150897.tif 000005
【図４】
0003150897.tif 000006
【図５】
0003150897.tif 000007
【図６】
0003150897.tif 000008
【図７】
0003150897.tif 000009
【図８】
0003150897.tif 000010
【図９】
0003150897.tif 000011
【図１０】
0003150897.tif 000012
【図１１】
0003150897.tif 000013
【図１２】
0003150897.tif 000014